【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
開始条件が成立したことにもとづいて識別情報の可変表示を行い、識別情報の可変表示の表示結果として特定表示結果が導出表示されたときに遊技者にとって有利な特定遊技状態に制御する遊技機であって、
可変入賞装置を開放状態に制御する可変入賞装置制御手段と、
前記開始条件が成立したときに、識別情報の可変表示の表示結果を前記特定表示結果にするか否かを決定する開始条件成立時決定手段と、
前記可変入賞装置が開放状態に制御されるか否か、または識別情報の可変表示において識別情報の可変表示の表示結果が前記特定表示結果になる可能性を報知する所定演出を実行する所定演出実行手段と、を備え、
前記開始条件成立時決定手段は、識別情報の可変表示における第２演出の実行態様と、識別情報の可変表示における前記第２演出以外の第１演出の実行態様とを決定する実行態様決定手段を含み、
前記実行態様決定手段により決定された前記第１演出の実行態様を指示する第１コマンドと、前記実行態様決定手段により決定された前記第２演出の実行態様を指示する第２コマンドとを送信するコマンド送信手段と、
前記コマンド送信手段から送信される第１コマンドと第２コマンドに基づいて識別情報の可変表示を制御する演出制御手段と、を更に備えた、
ことを特徴とする遊技機。
【手続補正２】
【補正対象書類名】明細書
【補正対象項目名】０００９
【補正方法】変更
【補正の内容】
【０００９】
本発明の遊技機は、開始条件が成立したことにもとづいて識別情報の可変表示を行い、識別情報の可変表示の表示結果として特定表示結果が導出表示されたときに遊技者にとって有利な特定遊技状態（例えば、大当り遊技状態）に制御する遊技機であって、可変入賞装置（例えば、可変入賞球装置１５）を開放状態に制御する可変入賞装置制御手段（例えば、遊技制御用マイクロコンピュータ５６０におけるステップＳ４０４の処理を実行する部分）、前記開始条件が成立したときに、識別情報の可変表示の表示結果を前記特定表示結果にするか否かを決定する開始条件成立時決定手段（例えば、遊技制御用マイクロコンピュータ５６０におけるステップＳ６１の処理を実行する部分）と、前記可変入賞装置が開放状態に制御されるか否か、または識別情報の可変表示において識別情報の可変表示の表示結果が前記特定表示結果になる可能性を報知する所定演出を実行する所定演出実行手段（例えば、演出制御用マイクロコンピュータ１００におけるステップＳ５２１１，Ｓ５２１３，Ｓ５２１４，Ｓ８０２９，Ｓ８０３０，Ｓ８４８〜Ｓ８５１の処理を実行する部分）と、を備え、前記開始条件成立時決定手段は、識別情報の可変表示における第２演出の実行態様と、識別情報の可変表示における前記第２演出以外の第１演出の実行態様とを決定する実行態様決定手段（例えば、遊技制御用マイクロコンピュータ５６０におけるステップＳ３０１の処理を実行し、第１演出と第２演出のそれぞれの実行態様を決定する部分）を含み、前記実行態様決定手段により決定された前記第１演出の実行態様を指示する第１コマンドと、前記実行態様決定手段により決定された前記第２演出の実行態様を指示する第２コマンドとを送信するコマンド送信手段（例えば、遊技制御用マイクロコンピュータ５６０におけるステップＳ３０１の処理において、決定された実行態様に応じた第１コマンド及び第２コマンドを送信する部分）と、前記コマンド送信手段から送信される第１コマンドと第２コマンドに基づいて識別情報の可変表示を制御する演出制御手段（例えば、演出制御用マイクロコンピュータ１００が２つのコマンドの組合せから導かれる変動時間にもとづいて変動表示における演出制御を行う部分）と、を更に備えた、ことを特徴とする
そのような構成によれば、遊技の興趣をより向上させることができる。
さらに、本発明による他の遊技機は、可変表示の開始条件が成立したことにもとづいて識別情報（例えば、第１特別図柄や第２特別図柄）の可変表示を行い、識別情報の可変表示の表示結果として特定表示結果（例えば、大当り図柄）が導出表示されたときに遊技者にとって有利な特定遊技状態（例えば、大当り遊技状態）に制御する遊技機であって、可変入賞装置（例えば、可変入賞球装置１５）を開放状態に制御する可変入賞装置制御手段（例えば、遊技制御用マイクロコンピュータ５６０におけるステップＳ４０４の処理を実行する部分）と、数値データを抽出する数値データ抽出手段（例えば、遊技制御用マイクロコンピュータ５６０におけるステップＳ１２１６，Ｓ１２２７の処理を実行する部分）と、未だ可変表示の開始条件が成立していない可変表示について、数値データ抽出手段が抽出した数値データを保留記憶として記憶する保留記憶手段（例えば、合算保留記憶数カウンタ）と、開始条件が成立したときに、保留記憶手段に記憶されている保留記憶にもとづいて、識別情報の可変表示の表示結果を特定表示結果にするか否かを決定する開始条件成立時決定手段（例えば、遊技制御用マイクロコンピュータ５６０におけるステップＳ６１の処理を実行する部分）と、特定表示結果となるか否かを、開始条件成立時決定手段による決定前に判定する開始条件成立前判定手段（例えば、遊技制御用マイクロコンピュータ５６０におけるステップＳ２２０，Ｓ２２２の処理を実行する部分）と、可変入賞装置が開放状態に制御されるか否か、または識別情報の可変表示において識別情報の可変表示の表示結果が特定表示結果になる可能性を報知する所定演出を実行する所定演出実行手段（例えば、演出制御用マイクロコンピュータ１００におけるステップＳ５２１１，Ｓ５２１３，Ｓ５２１４，Ｓ８０２９，Ｓ８０３０，Ｓ８４８〜Ｓ８５１の処理を実行する部分）と、開始条件成立前判定手段による判定にもとづいて、当該判定の対象となった識別情報の可変表示が実行される前に開始される複数回の可変表示に亘って特定予告演出を実行するか否かを決定する特定予告演出決定手段（例えば、演出制御用マイクロコンピュータ１００におけるステップＳ６０１１〜Ｓ６０１４の処理を実行する部分）と、特定予告演出決定手段の決定にもとづいて特定予告演出を実行する特定予告演出実行手段（例えば、演出制御用マイクロコンピュータ１００におけるステップＳ８０３２，Ｓ８４８〜Ｓ８５１の処理を実行する部分）と、可変入賞装置が開放状態に制御されることを予告する開放予告演出（例えば、長期開放報知用画像の表示）を実行する開放予告演出実行手段（例えば、演出制御用マイクロコンピュータ１００におけるステップＳ６５０４の処理を実行する部分）とを備え、所定演出実行手段は、特定予告演出が実行されたときには、該特定予告演出が実行されないときに比べて、高い割合で所定演出を実行し（図６２参照）、可変入賞装置制御手段は、開放予告演出の実行後に発射された遊技媒体が可変入賞装置に入賞可能な時間が経過してから該可変入賞装置を開放状態に制御する（例えば、図７４に示すように、長期間（５．３秒）の開放の前に４．５秒のインターバル期間が設けられていることにより、長期開放報知用画像を表示してから発射した遊技球が可変入賞球装置１５に入賞するための十分な期間が設けられている）ことを特徴とする。
そのような構成によれば、所定演出が実行されていないときの遊技の興趣をより向上させることができる。また、開放予告演出を実行してから可変入賞装置が開放状態に制御されるまでの期間が短すぎて、遊技者が開放予告演出を認識してから可変入賞装置への遊技媒体の入賞を狙っても間に合わず利益を得られない事態を防止することができる。